【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】  物品の表面にグラフィックおよびテキスト要素を組み込むためのシステムであって、
材料の層を複数有し、前記グラフィックおよびテキスト要素が組み込まれる前記物品の表面を覆うコーティングであって、前記層は最外部の露出した層および互いに異なる色をもつ材料で形成された少なくとも２つの下位層を有する、コーティングと、
材料の少なくとも２つの前記層に、所定の深さまで前記グラフィックおよびテキスト要素をエッチング可能なアブレーティブエッチング装置であって、エッチングされた実質的にすべての領域において、前記最外部の露出した層の材料を完全に除去し、かつ、実質的にすべての前記エッチングされた領域において、下位層の厚さの少なくとも１部分を無傷のままにするアブレーティブエッチング装置と、
を備え、前記アブレーティブエッチング装置は、前記層に個々の穴のアレイをエッチングして、前記グラフィックおよびテキスト要素を形成し、各穴は、前記所定の深さまでエッチングされて特定の層まで延び、または特定の層の中まで延び、その結果、該特定の層の色に対応する色を呈するとともに、
複数の層の少なくとも１つが、穴のアレイにより呈される色を、観察者に（ｉ）より明るく若しくは（ｉｉ）より暗く見えるようにする色を有する、システム。
【請求項２】  前記最外部の露出した層を形成する材料は、前記グラフィックおよびテキスト要素が容易に読み取れる程度に、全ての下位層の色と対照して引き立つ色を有する、請求項１に記載のシステム。
【請求項３】  前記グラフィック要素は、光学的に走査可能なバーコードを備え、前記最外部の露出した層を形成する材料は、前記バーコードが正確に走査できる程度に、全ての下位層の色と対照して引き立つ色を有する、請求項１に記載のシステム。
【請求項４】  前記アブレーティブエッチング装置は、レーザビームを用いて、前記グラフィックおよびテキスト要素を、材料の少なくとも２つの前記層にエッチングするレーザエッチング装置を有する、請求項１記載のシステム。
【請求項５】  各下位層は、異なる色をもつ材料で形成される、請求項１記載のシステム。
【請求項６】  それぞれが各層を形成する前記材料は、(i)塗料、または、(ii)インク、の一方である、請求項１に記載のシステム。
【請求項７】  各層の厚みは、約１３−１５μｍの範囲に入る、請求項１に記載のシステム。
【請求項８】  各層をそれぞれ形成する材料は、リソグラフィックプロセスを用いて塗布されるインクを有する、請求項１記載のシステム。
【請求項９】  前記最外部の露出した層は、前記グラフィックおよびテキスト要素が組み込まれる前記物品の表面の部分を超えて広がっており、それにより前記物品の少なくとも付加的な部分をコーティングする、請求項１に記載のシステム。
【請求項１０】  前記少なくとも２つの下位層は、その層に対して異なる原色を与える材料を含む、請求項１に記載のシステム。
【請求項１１】  前記アレイ内の前記穴は、約０．００５インチ以内の直径を有する大きさで構成され、前記層のエッチングされた領域において、１平方インチあたり約９００００個を下回らない密度でグループ化されており、それにより前記グラフィックおよびテキスト要素が、見る者に対して、前記アレイの隣接する穴により呈される色と異なる見かけ上の色を有するようにする、請求項１０に記載のシステム。
【請求項１２】  前記原色は、黄色、マゼンタ、およびシアンを含むグループから選択され、
それぞれ黄色およびマゼンタを呈する前記アレイ内の隣接する穴は、見る者に対して、赤色に見え、
それぞれ黄色およびシアンを呈する前記アレイ内の隣接する穴は、見る者に対して、緑色に見え、
それぞれマゼンタおよびシアンを呈する前記アレイ内の隣接する穴は、見る者に対して、青色に見える、請求項１１に記載のシステム。
【請求項１３】  前記最外部の露出した層は、層を白色にする材料で形成され、
前記エッチングされた領域の少なくとも１部分における前記見かけ上の色の色合いは、前記アブレーティブエッチング装置による層の所定の領域へのエッチングをやめることにより、明るくされ、該層の所定の領域は、色合いを明るくする前記エッチングされた領域の部分における、前記アレイ中の一様に混合された領域であり、該混合された非エッチング領域は、前記穴の断面直径とほぼ等しい大きさを有する、請求項１１に記載のシステム。
【請求項１４】  一様に混合された前記非エッチング領域の密度は、見かけ上の色の色合いが明るくなる程度に影響があり、前記密度が高くなると、前記色合いは明るくなる、請求項１３に記載のシステム。
【請求項１５】  前記最外部の露出した層は、層を黒色にする材料で形成され、
前記見かけ上の色の色合いは、前記アブレーティブエッチング装置による層の所定の領域へのエッチングをやめることにより、暗くされ、該層の所定の領域は、色合いを暗くする前記エッチングされた領域の部分における、前記アレイ中の一様に混合された領域であり、該混合された非エッチング領域は、前記穴の断面直径とほぼ等しい大きさを有する、請求項１１に記載のシステム。
【請求項１６】  一様に混合された前記非エッチング領域の密度は、見かけ上の色の色合いが暗くなる程度に影響があり、前記密度が高くなると、前記色合いは暗くなる、請求項１５に記載のシステム。
【請求項１７】  前記下位層の１つは、層を黒色にする材料で形成され、
前記エッチングされた領域の少なくとも１部分における前記見かけ上の色の色合いは、前記アブレーティブエッチング装置を、前記下位層まで延び、または前記下位層の中まで延びた、一様に混合された穴に用いることにより暗くされ、前記下位層は、色合いを暗くする前記エッチングされた領域の部分において、前記アレイ中で黒色である、請求項１１に記載のシステム。
【請求項１８】  黒色の前記下位層まで延び、または前記下位層の中まで延びた、一様に混合された穴の密度は、見かけ上の色の色合いが暗くなる程度に影響があり、前記密度が高くなると、前記色合いは暗くなる、請求項１７に記載のシステム。
【請求項１９】  前記下位層の１つは、層を白色にする材料で形成され、
前記エッチングされた領域の少なくとも１部分における前記見かけ上の色の色合いは、前記アブレーティブエッチング装置を、前記下位層まで延び、または前記下位層の中まで延びた、一様に混合された穴に用いることにより明るくされ、前記下位層は、色合いを明るくする前記エッチングされた領域の部分において、前記アレイ中で白色である、請求項１１に記載のシステム。
【請求項２０】  白色の前記下位層まで延び、または前記下位層の中まで延びた、一様に混合された穴の密度は、見かけ上の色の色合いが明るくなる程度に影響があり、前記密度が高くなると、前記色合いは明るくなる、請求項１９に記載のシステム。
【請求項２１】  物品の表面にグラフィックおよびテキスト要素を組み込むための方法であって、
前記グラフィックおよびテキスト要素が組み込まれる前記物品の表面をコーティングするステップであって、前記コーティングは、最外部の露出した層を有する材料の複数の層と、互いに異なる色を有する材料で形成された少なくとも２つの下位層とを有する、コーティングするステップと、
アブレーティブエッチング装置を用いて、材料の前記層に、前記グラフィックおよびテキスト要素をエッチングして、層内にエッチングされた個々の穴のアレイを形成するステップと
からなり、各穴は、所定の深さまでエッチングされ、特定の層まで延び、または特定の層の中まで延びて、該特定の層の色に対応する色を呈するとともに、複数の層の少なくとも１つが、穴のアレイにより呈される色を、観察者に（ｉ）より明るく若しくは（ｉｉ）より暗く見えるようにする色を有する、方法。
【請求項２２】  前記最外部の露出した層を形成する材料は、前記グラフィックおよびテキスト要素が容易に読み取れる程度に、全ての下位層の色と対照して引き立つ色を有する、請求項２１に記載の方法。
【請求項２３】  前記グラフィック要素は、光学的に走査可能なバーコードを備え、前記最外部の露出した層を形成する材料は、前記バーコードが正確に走査できる程度に、全ての下位層の色と対照して引き立つ色を有する、請求項２１に記載の方法。
【請求項２４】  前記少なくとも２つの下位層は、その層に対して異なる原色を与える材料を含む、請求項１８に記載の方法。
【請求項２５】  前記アレイ内の前記穴は、約０．００５インチ以内の直径を有する大きさで構成され、前記層のエッチングされた領域において、１平方インチあたり約９００００個を下回らない密度でグループ化されており、それにより前記グラフィックおよびテキスト要素が、見る者に対して、前記アレイの隣接する穴により呈される色と異なる見かけ上の色を有するようにする、請求項２４に記載の方法。
【請求項２６】  前記原色は、黄色、マゼンタ、およびシアンを含むグループから選択され、
それぞれ黄色およびマゼンタを呈する前記アレイ内の隣接する穴は、見る者に対して、赤色に見え、
それぞれ黄色およびシアンを呈する前記アレイ内の隣接する穴は、見る者に対して、緑色に見え、
それぞれマゼンタおよびシアンを呈する前記アレイ内の隣接する穴は、見る者に対して、青色に見える、請求項２５に記載の方法。
【請求項２７】  前記最外部の露出した層は、層を白色にする材料で形成され、
前記エッチングされた領域の少なくとも１部分における前記見かけ上の色の色合いは、所定の大きさを有する非エッチング領域を一様に混合するステップによって、明るくされ、該所定の大きさは、色合いを明るくする前記エッチングされた領域の部分中の前記穴の断面直径にほぼ等しい、請求項２５に記載の方法。
【請求項２８】  一様に混合された前記非エッチング領域の密度は、見かけ上の色の色合いが明るくなる程度に影響があり、前記密度が高くなると、前記色合いは明るくなる、請求項２７に記載の方法。
【請求項２９】  前記最外部の露出した層は、層を黒色にする材料で形成され、
前記エッチングされた領域の少なくとも１部分における前記見かけ上の色の色合いは、所定の大きさを有する非エッチング領域を一様に混合するステップによって、暗くされ、該所定の大きさは、色合いを暗くする前記アレイの部分中の前記穴の断面直径にほぼ等しい、請求項２５に記載の方法。
【請求項３０】  一様に混合された前記非エッチング領域の密度は、見かけ上の色の色合いが暗くなる程度に影響があり、前記密度が高くなると、前記色合いは暗くなる、請求項２９に記載の方法。
【請求項３１】  前記下位層の１つは、層を黒色にする材料で形成され、
前記エッチングされた領域の少なくとも１部分における前記見かけ上の色の色合いは、穴を一様に混合するステップによって、暗くされ、該穴は、色合いを暗くする前記エッチングされた領域の部分中で黒色を有する下位層まで延び、または下位層の中まで延びる、請求項２５に記載の方法。
【請求項３２】  黒色の前記下位層まで延び、または前記下位層の中まで延びた、一様に混合された穴の密度は、見かけ上の色の色合いが暗くなる程度に影響があり、前記密度が高くなると、前記色合いは暗くなる、請求項３１に記載の方法。
【請求項３３】  前記下位層の１つは、層を白色にする材料で形成され、
前記エッチングされた領域の少なくとも１部分における前記見かけ上の色の色合いは、穴を一様に混合するステップによって、明るくされ、該穴は、色合いを明るくする前記エッチングされた領域の部分中で白色を有する下位層まで延び、または下位層の中まで延びる、請求項２５に記載の方法。
【請求項３４】  白色の前記下位層まで延び、または前記下位層の中まで延びた、一様に混合された穴の密度は、見かけ上の色の色合いが明るくなる程度に影響があり、前記密度が高くなると、前記色合いは明るくなる、請求項３３に記載の方法。